(57)【要約】【課題】当接体が最も上方に位置するときに調理用具から吹きこぼれが生じた場合にも、煮汁が、固定側支持部材における移動側支持筒の下端との摺動箇所に付着して、移動側支持筒の下端と固定側支持部材とが煮汁で固着してしまうことを抑制することが可能で、信頼性の高い調理用具の温度検出装置を提供する。【解決手段】当接体５１が最も下方に位置するときに移動側支持筒５３の下端５３ｅが固定側支持部材５６と当接する箇所を最下方当接箇所Ｘとした場合に、移動側支持筒５３とともに当接体５１が最も上方に位置するときに、被覆保護筒６３が最下方当接箇所Ｘを、所定空間Ｙを介して被覆するように構成する。  被覆保護筒６３が、移動側支持筒５３の下端５３ｅより上方の所定箇所（圧入箇所）Ｐにおいて、移動側支持筒５３に対して水密的に圧入されている構成とする。【選択図】図１
2020034231.tif 000002
【特許請求の範囲】
【請求項１】
（ａ）加熱調理器の任意の固定部に固定されて縦方向に伸びる固定側支持部材と、
（ｂ）前記固定側支持部材の外側に嵌挿され、上下動可能に支持された移動側支持筒と、
（ｃ）前記移動側支持筒の上端に配設され、調理用具の上下動に追随して、前記移動側支持筒とともに上下動することにより、調理用具の底面に常時当接するように構成された当接体と、
（ｄ）前記当接体の下面側に、前記当接体と熱的に結合するような態様で配設されたサーミスタと、
（ｅ）前記移動側支持筒の上端から下端下方の所定位置までを、同心状に所定空間を介して被覆し、かつ、前記移動側支持筒の上下動に伴って上下動するように構成された被覆保護筒と、を具備し、
前記移動側支持筒の下端と前記固定側支持部材とが当接し、前記移動側支持筒が上下動する際には、前記移動側支持筒の下端と前記固定側支持部材とが摺動するように構成された、調理用具の温度検出装置であって、
前記固定側支持部材において、前記当接体が最も下方に位置するときに前記移動側支持筒の下端が前記固定側支持部材と当接する箇所を最下方当接箇所とした場合に、
前記当接体が、前記移動側支持筒とともに最も上方に位置するときに、前記被覆保護筒が前記最下方当接箇所を、所定空間を介して被覆するように構成されていること
を特徴とする調理用具の温度検出装置。
【請求項２】
前記被覆保護筒が、前記移動側支持筒の下端より上方の所定箇所において、前記移動側支持筒に対して水密的に圧入されていること
を特徴とする請求項１記載の調理用具の温度検出装置。
【発明の詳細な説明】
【技術分野】
【０００１】
本発明は、温度検出装置に関し、詳しくは、ガスコンロやガステーブルなどの加熱調理器に載置された鍋などの調理用具（炊事具）の温度を検出するための温度検出装置に関する。
【背景技術】
【０００２】
近年、ガスコンロやガステーブルなどの加熱調理器として、鍋などの調理用具（炊事具）の底面に接してその温度を検知する温度検出装置を備えているものが広く用いられている。
【０００３】
そして、このような調理用具の温度検出装置として、特許文献１には、上端に調理容器に当接する当接体が配設された移動側支持筒の下端と、固定側支持部材とが当接した状態で、移動側支持筒が上下動するように構成された調理用具の温度検出装置が記載されている。
【０００４】
なお、特許文献１の調理用具の温度検出装置においては、移動側支持筒の下端と固定側支持部材とが当接しており、移動側支持筒が上下動する場合には、移動側支持筒の下端と固定側支持部材とが摺動するように構成されているものと考えられる。
【０００５】
この特許文献１の調理用具の温度検出装置においては、上述のように、移動側支持筒が上下動する場合に、移動側支持筒の下端と固定側支持部材とが摺動するように構成されているので、移動側支持筒の下端と固定側支持部材との間に隙間がほとんどなく、移動側支持筒が上下動する際に移動側支持筒が傾いてしまうことを抑制できて有意義である。
【０００６】
また、移動側支持筒の上端から下端近傍までを、同心状に所定空間を介して被覆する被覆保護筒を備えているので、鍋などの調理用具からの煮こぼれがあった場合にも、移動側支持筒の内部に煮汁が浸入したり滞留したりすることを抑制、防止することが可能になり、この点でも有意義である。
【先行技術文献】
【特許文献】
【０００７】
【特許文献１】特開２０１２−２３３６０１号公報
【発明の概要】
【発明が解決しようとする課題】
【０００８】
しかしながら、特許文献１の調理用具の温度検出装置では、被覆保護筒の上下方向の寸法が、移動側支持筒の位置にかかわらず、移動側支持筒の上端から、固定側支持部材との摺動箇所（当接箇所）となる下端近傍までの領域の全体を被覆するためには不足しているように見受けられ、移動側支持筒と被覆保護筒の上端に配設されている当接体が最も下方に位置するときに移動側支持筒の下端が固定側支持部材と当接する箇所（以下、「最下方当接箇所」と呼ぶ）が、当接体が最も上方に位置するときにおいては、被覆保護筒によって被覆されない場合が考えられる。
【０００９】
したがって、当接体が最も上方に位置するときに、鍋などの調理用具から吹きこぼれが生じた場合に、吹きこぼれた煮汁が、固定側支持部材における移動側支持筒の下端との摺動箇所（当接箇所）に付着するおそれがあり、移動側支持筒の下端と固定側支持部材とが煮汁で固着してしまう場合が考えられる。
【００１０】
本発明は、上記課題を解決するものであり、当接体が最も上方に位置するときに鍋などの調理用具から吹きこぼれが生じた場合にも、吹きこぼれた煮汁が、固定側支持部材における移動側支持筒の下端との摺動箇所（当接箇所）に付着して、移動側支持筒の下端と固定側支持部材とが煮汁で固着してしまうことを抑制、防止することが可能で、信頼性の高い調理用具の温度検出装置を提供することを目的とする。
【課題を解決するための手段】
【００１１】
上記の目的を達成するために、本発明の調理用具の温度検出装置は、
（ａ）加熱調理器の任意の固定部に固定されて縦方向に伸びる固定側支持部材と、
（ｂ）前記固定側支持部材の外側に嵌挿され、上下動可能に支持された移動側支持筒と、
（ｃ）前記移動側支持筒の上端に配設され、調理用具の上下動に追随して、前記移動側支持筒とともに上下動することにより、調理用具の底面に常時当接するように構成された当接体と、
（ｄ）前記当接体の下面側に、前記当接体と熱的に結合するような態様で配設されたサーミスタと、
（ｅ）前記移動側支持筒の上端から下端下方の所定位置までを、同心状に所定空間を介して被覆し、かつ、前記移動側支持筒の上下動に伴って上下動するように構成された被覆保護筒と、を具備し、
前記移動側支持筒の下端と前記固定側支持部材とが当接し、前記移動側支持筒が上下動する際には、前記移動側支持筒の下端と前記固定側支持部材とが摺動するように構成された、調理用具の温度検出装置であって、
前記固定側支持部材において、前記当接体が最も下方に位置するときに前記移動側支持筒の下端が前記固定側支持部材と当接する箇所を最下方当接箇所とした場合に、
前記当接体が、前記移動側支持筒とともに最も上方に位置するときに、前記被覆保護筒が前記最下方当接箇所を、所定空間を介して被覆するように構成されていること
を特徴としている。
【００１２】
本発明の調理用具の温度検出装置においては、前記被覆保護筒が、前記移動側支持筒の下端より上方の所定箇所において、前記移動側支持筒に対して水密的に圧入されていることが好ましい。
【発明の効果】
【００１３】
本発明の調理用具の温度検出装置は、上述のように構成されており、当接体が、移動側支持筒とともに最も下方に位置するときに移動側支持筒の下端が固定側支持部材と当接する箇所を最下方当接箇所とした場合に、当接体が最も上方に位置するとき（すなわち、当接体および当接体とともに上下動する移動側支持筒が最上方に位置し、かつ、移動側支持筒の上下動に伴って上下動する被覆保護筒も最上方に位置するとき）にも、被覆保護筒が最下方当接箇所を、所定空間を介して被覆するように構成されているので、煮汁が、固定側支持部材における移動側支持筒の下端との摺動箇所に付着することを抑制、防止することが可能になる。
その結果、摺動箇所において移動側支持筒の下端と固定側支持部材とが煮汁で固着してしまうことを抑制、防止することが可能で、信頼性の高い調理用具の温度検出装置を実現することができる。
【００１４】
また、移動側支持筒の下端と固定側支持部材とが当接して、移動側支持筒の下端と固定側支持部材とが摺動するように構成されているので、移動側支持筒が上下動するときに、移動側支持筒が傾いてしまうことを抑制することが可能になり、調理用具の温度検出の信頼性を向上させることができる。
【００１５】
また、上述の被覆保護筒が、移動側支持筒の下端より上方の所定箇所において、移動側支持筒に対して水密的に圧入されている構成とした場合、移動側支持筒と被覆保護筒との間に煮汁が侵入しても、被覆保護筒が、移動側支持筒に対して水密的に圧入されている所定箇所、すなわち、移動側支持筒の下端より上方の所定箇所において、煮汁が当該所定箇所よりも下方に流下することが阻止されるため、移動側支持筒と被覆保護筒との間に侵入した煮汁が移動側支持筒の下端と固定側支持部材との摺動部に付着し、移動側支持筒の下端と固定側支持部材とが煮汁で固着してしまうことを一層確実に抑制することが可能になり、より信頼性の高い調理用具の温度検出装置を実現することができる。
【図面の簡単な説明】
【００１６】
【図１】本発明の実施形態にかかる調理用具の温度検出装置を示す正面断面図である。
【図２】本発明の実施形態にかかる調理用具の温度検出装置を備えたガスコンロ（加熱調理器）の要部を示す断面図である。
【発明を実施するための形態】
【００１７】
以下、本発明の実施形態を示して、その特徴とするところを詳しく説明する。
【００１８】
図１は、本発明の実施形態にかかる調理用具の温度検出装置を示す正面断面図、図２は、本発明の実施形態にかかる調理用具の温度検出装置を備えたガスコンロの要部を示す断面図である。
【００１９】
この実施形態の調理用具の温度検出装置は、図２に示すように、ガスコンロのバーナ部に配設されて、調理用具（鍋など）２の温度を検出するために用いられる温度検出装置である。
【００２０】
なお、ガスコンロおよびそのバーナ部の構成は既に周知であることから、詳細な構造は、図示を省略して、その要部構成を図２に示している。
【００２１】
ガスコンロには、１台のバーナ部または横方向に並ぶ２台のバーナ部、あるいはそれ以上のバーナ部を備えたものなどがあるが（図示省略）、ここでは温度検出装置１を備えた１つのバーナ部について、その構造を、図１および図２を参照しつつ説明する。
【００２２】
図２に示すように、バーナ部においては、混合管３３の先端に環状のバーナベース４１が連結されている。また、バーナベース４１の上部には環状のバーナキャップ５が着脱自在に載置されている。そして、バーナベース４１およびバーナキャップ５の略中心には、上下に貫通するように挿入孔４が設けられている。
【００２３】
バーナキャップ５の周縁には溝が形成され、バーナキャップ５がバーナベース４１に載置されると、バーナベース４１とバーナキャップ５との間に外方に向けて炎を形成する複数の炎口（図示せず）が周方向に沿って間隔を隔てて形成されるように構成されている。
【００２４】
また、前記バーナキャップ５は、コンロのトッププレート１１に形成されたバーナ用開口部内の略中心に位置するように設けられ、このバーナ用開口部の周縁のトッププレート１１には、調理用具２を載置するための五徳１２が設けられている。
【００２５】
そして、このコンロ部に配設された調理用具の温度検出装置１は、図１および図２に示すように、
(ａ)加熱調理器の任意の固定部に固定されて縦方向に伸びる固定側支持部材（シャフト）５６と、
(ｂ)固定側支持部材（シャフト）５６の外側に嵌挿され、上下動可能に保持された移動側支持筒（ホルダー）５３と、
(ｃ)移動側支持筒（ホルダー）５３の上端５３ｔに配設され、調理用具２の上下動に追随して上下動することにより、五徳１２（図２）に載置された調理用具２の底面位置が上下方向に変動した場合にも、調理用具２の底面に常時当接するように構成された当接体（集熱板）５１と、
(ｄ)当接体５１の下面側に、当接体５１と熱的に結合するような態様で配設され、当接体５１と一体となって移動側支持筒５３の上下動に追随して上下動するように配設された、調理用具２の温度を検出するためのサーミスタ（温度検出素子）５７と、
(ｅ)移動側支持筒５３の上端５３ｔから下端５３ｅの下方の所定位置までを、同心状に所定空間Ｙを介して被覆する被覆保護筒６３を備えている。
【００２６】
なお、被覆保護筒６３により所定空間Ｙを介して被覆される領域である、「移動側支持筒５３の上端５３ｔから下端５３ｅの下方の所定位置まで」とは、少なくとも、「移動側支持筒５３の上端５３ｔ近傍から、移動側支持筒５３が最下方に移動したときの下端５０ｅよりも下方に至るまでの領域」となる。
【００２７】
また、上記当接体５１は、銅等の熱伝導率の高い材料から形成されており、その外径が被覆保護筒６３の外径より大きく、平面視したときに、当接体５１の周縁部が被覆保護筒６３の外周よりも外側に突出するように構成されている。
【００２８】
詳しくは、移動側支持筒（ホルダ）５３の上端５３ｔには、外側に突出する鍔部５３ｘが形成されており、かつ、当接体（集熱板）５１の周縁部は、移動側支持筒５３の鍔部５３ｘの上面と当接するとともに、鍔部５３ｘの外周部を超えて、その下面側にまで回り込むように折り返されている。
すなわち、移動側支持筒５３の鍔部５３ｘの近傍の構造が、鍔部５３ｘと、鍔部５３ｘの上面側の当接体５１と、鍔部５３ｘの下面側にまで回り込むように折り返された当接体５１が重なった三層構造となるように構成されている。
【００２９】
そして、被覆保護筒６３の上端面が、当接体５１の下面（詳しくは、鍔部５３ｘの下面側にまで回り込むように折り返された当接体５１の下面）と、周方向にわたって当接している。また、この実施形態の調理用具の温度検出装置においては、移動側支持筒５３もその鍔部５３ｘが、当接体５１に当接している。
【００３０】
ただし、被覆保護筒６３の上端部は当接体５１に、周方向にわたって当接しているが、固着されてはおらず、被覆保護筒６３と当接体５１とは、あくまでも接触した状態に保たれている。
【００３１】
また、サーミスタ（温度検出素子）５７は、移動側支持筒５３内に収納され、当接体５１の下面にサーミスタ固定板６２を介して取り付けられており、当接体５１に熱的に結合した状態とされている。なお、サーミスタ５７は、サーミスタ固定板６２の中心付近に垂下形成された筒部６４内に納められており、サーミスタ５７と筒部６４の間には充填剤５８が充填されている。
【００３２】
サーミスタ５７から下方には、移動側支持筒５３より下方に伸びるリード線が接続されており、該リード線は絶縁チューブ５９，６０に収納され、保護されている。
【００３３】
なお、移動側支持筒５３は、固定側支持部材（シャフト）５６の外側に嵌挿され、固定側支持部材（シャフト）５６に対して上下動可能に取り付けられており、固定側支持部材５６はコンロ部の任意の固定部に固定状態に取り付けられている。
【００３４】
また、固定側支持部材５６の上端には、座金５５が嵌め込まれ、カシメによって固定されている。なお、座金５５は、その外周面が移動側支持筒５３の内周面に上下方向に移動可能に摺接するように構成されている。
【００３５】
移動側支持筒５３内における当接体５１の下面と座金５５の上面との間にはスプリング５４が配設されており、移動側支持筒５３はスプリング５４の付勢力により固定側支持部材５６に対して上方向に向けて付勢されている。
【００３６】
また、移動側支持筒５３の下端５３ｅ側は、その下端５３ｅから長さＬの領域が、座金５５の外径よりも内径の小さい小径部５３ａとされており、移動側支持筒５３内に挿入された固定側支持部材５６に固定された座金５５の、移動側支持筒５３内における下方向への移動が規制されるように構成されている。すなわち、スプリング５４の付勢力により移動側支持筒５３が固定側支持部材５６に対して上方向に向けて付勢されたときに、移動側支持筒５３において座金５５の外径より大きい内径を有する大径部５３ｂと、上記の小径部５３ａとの境界が規制部Ｓを構成し、この規制部Ｓによって座金５５の下方向への移動が防止されるとともに、固定側支持部材５６が、移動側支持筒５３の下端５３ｅ側から抜脱してしまうことが防止されるように構成されている。
【００３７】
また、移動側支持筒５３の下端５３ｅは内方に向けて径が小さくなるように絞り加工されており、絞り加工された移動側支持筒５３の下端５３ｅが、固定側支持部材５６の外周面に対し、上下方向に移動可能に摺接するように構成されている。
【００３８】
このようにして、移動側支持筒５３と固定側支持部材５６とは、相対的に上下方向に移動可能に構成されている一方で、座金５５の外周面と移動側支持筒５３の内周面との摺接、および、移動側支持筒５３の下端５３ｅの内周面と固定側支持部材５６の外周面との摺接により移動側支持筒５３と固定側支持部材５６との軸のずれが生じないように構成されている。
【００３９】
また、被覆保護筒６３は、上下方向の下側部分が上側部分よりも径の小さい小径部６３ａとされており、この小径部６３ａの内径は、移動側支持筒５３の大径部５３ｂと略同寸法とされている。そして、この被覆保護筒６３の小径部６３ａの上側部分が移動側支持筒５３の大径部５３ｂの下端側部分に接合、固定されることにより、被覆保護筒６３が移動側支持筒５３に固定されている。
【００４０】
すなわち、被覆保護筒６３の小径部６３ａの上側部分が、移動側支持筒５３の大径部５３ｂの下端側部分に下側から水密的に圧入される態様（移動側支持筒５３の大径部５３ｂの下端側部分が、被覆保護筒６３の小径部６３ａの上側部分に水密的に圧入される態様）で、被覆保護筒６３の小径部６３ａの上側部分と、移動側支持筒５３の大径部５３ｂの下端側部分とが互いに圧接することにより、被覆保護筒６３が移動側支持筒５３に保持（固定）されるように構成されている。なお、この点については、本発明の特徴的構成として詳しく後述する。
【００４１】
また、被覆保護筒６３の下端側（小径部６３ａの下端側）は、移動側支持筒５３の下端５３ｅよりも下方にまで延びて延長部を形成しており、被覆保護筒６３の小径部６３ａの延長部が、同心状に所定空間Ｙを介して固定側支持部材５６を被覆している。
【００４２】
この実施形態の調理用具の温度検出装置は、上述のように構成されており、被覆保護筒６３の上端の外径が鍔部５３ｘの外径より小さく、当接体５１の周縁部が、被覆保護筒６３の外周よりも外側に突出するように構成されているので、調理用具２から煮こぼれがあった場合にも、当接体５１と被覆保護筒６３との間に煮汁が浸入したり、当接体５１と被覆保護筒６３との間やその近傍に滞留したりすることが抑制、防止されるため、保守が簡単になる。
【００４３】
また、被覆保護筒６３の上端部は、当接体５１（詳しくは、当接体５１の、移動側支持筒５３の鍔部５３ｘを回り込んで折り返された部分）に固着されてはおらず、被覆保護筒６３と当接体５１とは、あくまでも接触した状態に保たれていることから、被覆保護筒６３から当接体５１への熱伝導が抑制され、当接体５１が接触する調理用具（鍋底など）２の温度を正確に検出することができる。
【００４４】
さらに、被覆保護筒６３の上端部が当接体５１により覆われることになるので、被覆保護筒６３の先端にバリがあるような場合にも、使用者が清掃する際に誤って被覆保護筒６３のバリのある上端部に触れて怪我をしたりするするおそれがなくなり、安全性が向上する。
【００４５】
また、当接体５１の周縁部が、移動側支持筒５３の鍔部５３ｘの上面と当接するとともに、鍔部５３ｘの外周部を超えて、その下面側にまで回り込むように折り返された構造とされており、移動側支持筒５３の鍔部５３ｘ近傍の構造が、鍔部５３ｘと、鍔部５３ｘの上面側の当接体５１と、鍔部５３ｘの下面側にまで回り込むように折り返された当接体５１からなる三層構造となり、剛性や機械的強度の大きい構造部とされているため、調理用具２の底面と当接体５１とが接触した状態で、調理用具２の位置をずらした場合にも、被覆保護筒６３の振動による高周波の金属音の発生をより効果的に抑制することが可能になり、使用感を向上させることができる。
【００４６】
また、被覆保護筒６３の下端側（小径部６３ａの下端側）が、移動側支持筒５３の下端５３ｅよりも下方にまで延びて延長部を形成しており、この延長部が同心状に所定空間を介して固定側支持部材５６を被覆しているので、固定側支持部材５６への熱影響が抑制され、調理用具２の温度をさらに正確に検出することが可能になる。
【００４７】
＜特徴的構成＞
次に、一部上記説明と重複する部分もあるが、本発明の実施形態にかかる調理用具の温度検出装置１の特徴的構成について詳しく説明する。
【００４８】
本発明の実施形態にかかる調理用具の温度検出装置１においては、移動側支持筒５３の下端５３ｅと固定側支持部材５６とが摺動箇所（当接箇所）Ｚにおいて当接し、移動側支持筒５３の下端５３ｅと固定側支持部材５６とが摺動するように構成されている。
【００４９】
このように、移動側支持筒５３の下端５３ｅと固定側支持部材５６とが当接して、移動側支持筒５３の下端５３ｅと固定側支持部材５６とが摺動するように構成されているので、移動側支持筒５３が上下動するときに、移動側支持筒５３が傾いてしまうことが抑制される。
【００５０】
また、当接体５１が最も下方に位置するときに移動側支持筒５３の下端５３ｅが固定側支持部材５６と当接する箇所を最下方当接箇所Ｘ（図１参照）とした場合に、図１に示すように、当接体５１が最も上方に位置するとき（すなわち、当接体５１、当接体５１とともに上下動する移動側支持筒５３が最上方に位置し、かつ、移動側支持筒５３の上下動に伴って上下動する被覆保護筒６３が最上方に位置するとき）に、被覆保護筒６３が、最下方当接箇所Ｘを、所定空間Ｙを介して被覆するように構成されている。
【００５１】
なお、図１において、移動側支持筒５３を示す実線は、当接体５１、当接体５１とともに上下動する移動側支持筒５３が最上方に位置し、かつ、移動側支持筒５３の上下動に伴って上下動する被覆保護筒６３も最上方に位置する状態における移動側支持筒５３を示している。
【００５２】
一方、移動側支持筒５３を示す一点鎖線は、当接体５１が最も下方に位置する状態における移動側支持筒５３の下端５３ｅの位置を示している。なお、このときの移動側支持筒５３の下端５３ｅと固定側支持部材５６の当接箇所が最下方当接箇所Ｘとなる。
【００５３】
本実施形態にかかる調理用具の温度検出装置１は、このように構成されており、当接体５１が最も上方に位置するときにも、最下方当接箇所Ｘが、被覆保護筒６３により、所定空間Ｙを介して被覆されるように構成されているので、当接体５１が最も上方に位置するときに（このとき、被覆保護筒６３も、移動側支持筒５３とともに最も上方に位置することになる）、鍋などの調理用具２（図２）から吹きこぼれが生じた場合にも、吹きこぼれた煮汁が、固定側支持部材５６における移動側支持筒５３が最も下方に位置するときの下端５３ｅとの摺動箇所（当接箇所）Ｚ、すなわち、最下方当接箇所Ｘに付着してしまうことが抑制され、移動側支持筒５３の下端５３ｅと固定側支持部材５６とが煮汁で固着してしまうことを抑制することができる。
【００５４】
その結果、移動側支持筒５３、当接体５１などの動作に対する信頼性の高い調理用具の温度検出装置１を提供することが可能になる。
【００５５】
また、本実施形態の調理用具の温度検出装置１においては、被覆保護筒６３が、移動側支持筒５３の下端５３ｅより上方の所定箇所（圧入箇所）Ｐにおいて移動側支持筒５３に対して水密的に圧入されている（図１参照）。
【００５６】
本実施形態の調理用具の温度検出装置１は、このように構成されているので、例えば、当接体５１の周縁部と被覆保護筒６３の上端の隙間から、移動側支持筒５３と被覆保護筒６３との間に煮汁が侵入しても、上述の所定箇所（圧入箇所）Ｐにおいて、被覆保護筒６３が移動側支持筒５３に対して水密的に圧入されているため、煮汁が所定箇所（圧入箇所Ｐ）よりも下方に流下することが阻止される。
【００５７】
その結果、移動側支持筒５３と被覆保護筒６３との間に侵入した煮汁が移動側支持筒５３の下端５３ｅと固定側支持部材５６との摺動箇所Ｚに付着し、移動側支持筒５３の下端５３ｅと固定側支持部材５６とが煮汁で固着してしまうことを一層確実に抑制、防止することが可能になり、より信頼性の高い調理用具の温度検出装置を実現することができる。
【００５８】
なお、上記実施形態では、被覆保護筒６３が、移動側支持筒５３の大径部５３ｂにおいて、移動側支持筒５３に固定されているが、被覆保護筒６３の下端部を絞って、移動側支持筒の小径部５３ａの外周側に圧入し、固定するように構成することも可能である。
【００５９】
その場合、構造はいくらか複雑になるものの、当接体５１からより離れた位置で、被覆保護筒６３と移動側支持筒５３とが固定されることになるため、被覆保護筒６３と移動側支持筒５３との固定部からの熱伝導による集熱板の温度上昇が抑制され、より精度よく、調理用具２（図２）の温度を検出することが可能になる。
【００６０】
本発明はさらにその他の点においても上記実施形態に限定されるものではなく、固定側支持部材、移動側支持筒、当接体、サーミスタ、被覆保護筒などの各部材の具体的な構成、本発明の調理用具の温度検出装置が適用される加熱調理器の構成などに関し、本発明の範囲内において各種の変形を加えることが可能である。
【符号の説明】
【００６１】
１        調理用具の温度検出装置
２        調理用具（鍋など）
４        挿入孔
５        バーナキャップ
１１      トッププレート
１２      五徳
３３      混合管
４１      バーナベース
５１      当接体（集熱板）
５３      移動側支持筒（ホルダー）
５３ａ    移動側支持筒の小径部
５３ｂ    移動側支持筒の大径部
５３ｅ    移動側支持筒の下端
５３ｔ    移動側支持筒の上端
５３ｘ    移動側支持筒の鍔部
５４      スプリング
５５      座金
５６      固定側支持部材（シャフト）
５７      サーミスタ（温度検出素子）
５８      充填剤
５９，６０    絶縁チューブ
６２      サーミスタ固定板
６３      被覆保護筒
６３ａ    被覆保護筒の小径部
６４      筒部
Ｌ        移動側支持筒の小径部の長さ
Ｐ        所定箇所（圧入箇所）
Ｓ        規制部
Ｘ        最下方当接箇所
Ｙ        所定空間
Ｚ        移動側支持筒の下端と固定側支持部材の摺動箇所
【図１】
2020034231.tif 000003
【図２】
2020034231.tif 000004